(57)【特許請求の範囲】
【請求項１】
互いに対向する第１の端部（３１）と第２の端部（３２）との間に少なくとも１つの伸長ストランド（４）を備える、腕時計バンド又はブレスレットであって：
前記腕時計バンド又はブレスレット（３）は、前記第２の端部（３２）上にバックル（５）を備え、前記バックル（５）は少なくとも１つの停止表面（５０）を含み、前記停止表面（５０）は、締結位置において、前記腕時計バンド又はブレスレット（３）の前記第１の端部（３１）に組み付けられたケース（２）、又は前記腕時計バンド又はブレスレット（３）が前記第１の端部（３１）の近傍に備える第２の相補的停止表面（３０）と協働すること；及び
前記少なくとも１つの伸長ストランド（４）は、少なくとも１つの弾性ストラップを含み、前記弾性ストラップは、前記腕時計バンド（３）の前記第２の端部（３２）において２つのストランド（４１、４２）を形成し、前記２つのストランド（４１、４２）は略平行に伸長するよう構成され、前記腕時計バンド（３）の遠位端において接合して前記バックル（５）を形成し、
前記ケース（２）は、前記伸長ストランド（４）及び／又は前記バックル（５）を受承するための、少なくとも１つの長手方向ガイド部材（２８）を含むことを特徴とする、腕時計バンド又はブレスレット。
【請求項２】
互いに対向する第１の端部（３１）と第２の端部（３２）との間に少なくとも１つの伸長ストランド（４）を備える、腕時計バンド又はブレスレットであって：
前記腕時計バンド又はブレスレット（３）は、前記第２の端部（３２）上にバックル（５）を備え、前記バックル（５）は少なくとも１つの停止表面（５０）を含み、前記停止表面（５０）は、締結位置において、前記腕時計バンド又はブレスレット（３）の前記第１の端部（３１）に組み付けられたケース（２）、又は前記腕時計バンド又はブレスレット（３）が前記第１の端部（３１）の近傍に備える第２の相補的停止表面（３０）と協働すること；及び
前記少なくとも１つの伸長ストランド（４）は、少なくとも１つの弾性ストラップを含み、前記弾性ストラップは、前記腕時計バンド（３）の前記第２の端部（３２）において２つのストランド（４１、４２）を形成し、前記２つのストランド（４１、４２）は略平行に伸長するよう構成され、前記腕時計バンド（３）の遠位端において接合して前記バックル（５）を形成し、
前記ケース（２）は、前記伸長ストランド（４）及び／又は前記バックル（５）を受承するための、少なくとも１つの長手方向ガイド部材（２８）を含み、
前記バックル（５）は、前記相補的停止表面に対する前記バックル（５）の締結を改善するよう、及び／又は前記腕時計バンド（３）を取り外すために伸長させる際の前記バックル（５）の引き抜きを容易にするよう構成されたクランプを形成する、弾性作動手段（５３）を備えることを特徴とすることを特徴とする、腕時計バンド又はブレスレット。
【請求項３】
前記腕時計バンドは、前記少なくとも１つの伸長ストランド（４）に加えて、少なくとも１つの他のストランドを含むこと；及び
前記少なくとも１つの伸長ストランド（４）は、いずれの他の前記ストランドよりも大きく伸長可能であることを特徴とする、請求項１又は２に記載の腕時計バンド（３）。
【請求項４】
少なくとも１つの前記他のストランドは、ユーザが付与する牽引力の作用下において不可変長であることを特徴とする、請求項１から３のいずれか１項に記載の腕時計バンド（３）。
【請求項５】
前記腕時計バンド（３）は、前記第２の相補的停止表面（３０）を含み、
前記第２の相補的停止表面（３０）は、前記停止表面（５０）が備える第２のラグ（５３）及び／又は第２のハウジング（５４）と相補的な様式で協働するよう構成された、少なくとも１つの第１のハウジング（２３）及び／又は第１のラグ（２４）を含むことを特徴とする、請求項１〜４のいずれか１項に記載の腕時計バンド（３）。
【請求項６】
前記少なくとも１つの停止表面（５０）は、前記締結位置において、前記少なくとも１つの第２の相補的停止表面（３０）と係留嵌合して協働するよう構成されることを特徴とする、請求項１〜５のいずれか１項に記載の腕時計バンド（３）。
【請求項７】
前記バックル（５）は、前記腕時計バンド（３）を取り外すために伸長させる際の前記バックル（５）の引き抜きを容易にするよう構成された、把持手段（５２）を備えることを特徴とする、請求項１〜６のいずれか１項に記載の腕時計バンド（３）。
【請求項８】
前記腕時計バンド（３）は、前記第２の相補的停止表面（３０）を支持する少なくとも１つのヒンジ付きリンクを含むことを特徴とする、請求項１〜７のいずれか１項に記載の腕時計バンド（３）。
【請求項９】
前記弾性ストラップは、略円形の断面を有することを特徴とする、請求項１〜８のいずれか１項に記載の腕時計バンド（３）。
【請求項１０】
請求項１〜９のいずれか１項に記載の腕時計バンド（３）を、ケース（２）に固定された状態で備える、腕時計（１）であって：
前記腕時計バンド（３）は、前記ケース（２）を、少なくとも前記ケース（２）の第１の側部（２１）において取り囲むように構成された、バックル（５）を備え、前記バックル（５）は少なくとも１つの伸長ストランド（４）によって形成され、前記バックル（５）は停止表面（５０）を備え、前記停止表面（５０）は少なくとも１つの締結位置において、前記ケース（２）の前記第１の側部（２１）の少なくとも１つの第１の相補的停止表面（２０）と協働するよう構成されること；及び
前記少なくとも１つの伸長ストランド（４）は、少なくとも１つの弾性ストラップを含み、前記弾性ストラップは、前記腕時計バンド（３）の第２の端部（３２）において２つのストランド（４１、４２）を形成し、前記２つのストランド（４１、４２）は略平行に伸長するよう構成され、前記腕時計バンド（３）の遠位端において接合して前記バックル（５）を形成することを特徴とする、腕時計（１）。
【請求項１１】
前記腕時計バンド（３）は、第１の端部（３１）において前記ケース（２）に固定され、前記ケース（２）の前記第１の側部（２１）から伸長すること；
前記腕時計バンド（３）は、前記第１の端部（３１）に対向する第２の端部（３２）に前記バックル（５）を含むこと；及び
前記バックル（５）は、前記少なくとも１つの締結位置において、少なくとも１つの前記第１の相補的停止表面（２０）と協働するよう構成されることを特徴とする、請求項１０に記載の腕時計（１）。
【請求項１２】
前記ケース（２）は、前記第１の側部（２１）において、前記第１の相補的停止表面（２０）の少なくとも一部分を形成する背面テーパを有する表面（２９）を備えることを特徴とする、請求項１０又は１１に記載の腕時計（１）。
【請求項１３】
前記ケース（２）は、前記第１の側部（２１）上において、前記第１の相補的停止表面（２０）に、前記停止表面（５０）が備える第２のラグ（５３）及び／又は第２のハウジング（５４）と相補的な様式で協働するよう構成された、少なくとも１つの第１のハウジング（２３）及び／又は第１のラグ（２４）を含むことを特徴とする、請求項１１〜１２のいずれか１項に記載の腕時計（１）。
【請求項１４】
前記少なくとも１つの停止表面（５０）は、前記締結位置において、前記少なくとも１つの第１の相補的停止表面（２０）と係留嵌合して協働するよう構成されることを特徴とする、請求項１０〜１３のいずれか１項に記載の腕時計（１）。
【請求項１５】
前記ケース（２）は、前記第１の側部（２１）と対向する第２の側部（２２）において、ガイド手段（６）を備え、
前記ガイド手段（６）は、前記バックル（５）がいずれの位置にある場合でも前記ケース（２）及び前記腕時計バンド（３）が略円環状の閉鎖容積を形成するように、前記腕時計バンド（３）の前記第２の端部（３２）又は前記少なくとも１つの伸長ストランド（４）をガイドするよう構成されることを特徴とする、請求項１０〜１４のいずれか１項に記載の腕時計（１）。
【請求項１６】
前記腕時計（１）は前記ガイド手段（６）上に、前記バックル（５）のための停止手段（７）を備えることを特徴とする、請求項１５に記載の腕時計（１）。
【請求項１７】
前記少なくとも１つの伸長ストランド（４）は前記ガイド手段（６）内で摺動すること；及び
前記腕時計バンド（３）は、前記ガイド手段（６）のための移動範囲終端停止部を形成するよう構成された停止表面（３３）を含むことを特徴とする、請求項１５又は１６に記載の腕時計（１）。
【請求項１８】
前記ケース（２）は、前記第２の側部（２２）上の固定された及び／又はヒンジ留めされたリンク上に前記ガイド手段（６）を備えることを特徴とする、請求項１５から１７のいずれか１項に記載の腕時計（１）。
【請求項１９】
前記バックル（５）は、前記ケース（２）に対する前記バックル（５）の締結を改善するよう、及び／又は前記腕時計バンド（３）を取り外すために伸長させる際の前記バックル（５）の引き抜きを容易にするよう構成されたクランプを形成する、弾性作動手段（５３）を含むことを特徴とする、請求項１０〜１８のいずれか１項に記載の腕時計（１）。
【請求項２０】
前記弾性ストラップは略円形の断面を有し、前記腕時計バンド（３）の前記第２の端部（３２）においてＵ字型バックルを形成し、
前記Ｕ字型バックルの側方の分岐は、前記ケース（２）の周り又は前記ケース（２）上において略平行に伸長するよう構成され、
前記Ｕ字型バックルの横断方向の分岐は、前記バックル（５）の凹部（５１）の範囲を画定し、かつ前記ケース（２）に当接して係合するよう構成されることを特徴とする、請求項１０から１９のいずれか１項に記載の腕時計（１）。
【請求項２１】
前記バックル（５）は、前記ケース（２）を完全に取り囲むことを特徴とする、請求項１０〜２０のいずれか１項に記載の腕時計（１）。
【請求項２２】
請求項１〜９のいずれか１項に記載の腕時計バンド（３）を、ケース（２）に固定された状態で備える、腕時計（１）であって：
前記腕時計バンド（３）は、前記ケース（２）を、少なくとも前記ケース（２）の第１の側部（２１）において取り囲むように構成された、バックル（５）を備え、前記バックル（５）は追加のバックル（５９）によって形成され、前記追加のバックル（５９）は停止表面（５０）を備え、前記停止表面（５０）は少なくとも１つの締結位置において、前記ケース（２）の前記第１の側部（２１）の少なくとも１つの第１の相補的停止表面（２０）と協働するよう構成されること；及び
前記ケース（２）は、前記腕時計バンド（３）の第１の端部（３１）の側に、固定された及び／又はヒンジ留めされたインサート（２６）を含み、前記インサート（２６）は第１の相補的停止表面（２０）を含み、前記第１の相補的停止表面（２０）は、前記停止表面（５０）と相補的な様式で協働するよう構成されることを特徴とする、腕時計（１）。
【発明の詳細な説明】
【技術分野】
【０００１】
本発明は、第１及び第２の対向する端部間に少なくとも１つの伸張ストランドを備える腕時計バンドに関する。
【０００２】
本発明はまた、ケースに取り付けられたこのタイプの腕時計バンドを含む、腕時計にも関する。
【０００３】
本発明は、人体に固定されるデバイスの分野に関し、特に腕時計等の計時デバイス又は放射能レコーダ等の科学デバイスの分野、及び宝飾品ブレスレット又は服飾アイテムの分野に関する。
【背景技術】
【０００４】
ブレスレット及び特に腕時計バンドは一般に、ユーザの形態に対して調整された寸法を有する。調整の範囲は限定されている。使用及び装用中に良好な適合及び確実な保持を提供しながら、迅速にスムーズに着脱できるブレスレット又は腕時計バンドは、僅かである。
【０００５】
従来のクラスプは、舌状部を有するバックルを用いるか又は展開式バックル機構を用いるかにかかわらず、繊細な取り扱いを必要とする。特にこれらは、手袋をはめたまま操作できない。更にこれらのクラスプは高価でもあり、一般に負傷の原因になり得る突出部品を備える。
【０００６】
全体が弾性材料で作製されたブレスレット又は腕時計バンドは、特に例えばスポーツマンであるユーザが腕時計又は腕時計バンドを強い加速に曝す場合、良好な性能を常に提供するわけではない。
【０００７】
ＤＡＶＩＮＳＹによる特許文献１は、１つに連結された２つのクランピングアームを有するバックルを含み、かつ腕時計ケースを取り囲むことができる、腕時計バンドについて記載している。
【０００８】
ＢＡＲＲＥ  Ｒｏｂｅｒｔによる特許文献２は、端部バックルを含む腕時計バンドについて記載しており、この端部バックルは、腕時計全体を取り囲むよう配設され、また片側が腕時計ケースの溝に挿入されて協働し、もう片側が腕時計ケースの突出部に係留されて協働するよう配設される。
【先行技術文献】
【特許文献】
【０００９】
【特許文献１】仏国特許第３００４８９８Ａ１号
【特許文献２】米国特許第２５１２９９２Ａ号
【発明の概要】
【発明が解決しようとする課題】
【００１０】
本発明は、腕時計バンド、より詳細には、語の通常の意味でのクラスプを有さず、広範囲の調整を有し、ユーザが容易にスムーズに着脱でき、プロフェッショナルな又はスポーツにおける使用に好適な腕時計バンドを開発することを提案する。
【課題を解決するための手段】
【００１１】
この目的のために、本発明は請求項１に記載のブレスレット又は腕時計バンドに関する。
【００１２】
本発明はまた、請求項１１に記載の腕時計にも関する。
【００１３】
本発明の他の特徴及び利点は、添付の図面を参照して以下の詳細な説明を読むことにより明らかになるであろう。
【図面の簡単な説明】
【００１４】
【図１】図１は、本発明による腕時計の概略斜視図である。この腕時計は本発明による腕時計バンドを備える。この腕時計バンドは、腕時計ケースの両側に分割された弾性伸張ストランドを備え、またバックルを含む。このバックルは腕時計ケースの片側に係合し、起伏を有する停止表面を含む。この停止表面は、腕時計ケースの逆向きの起伏を有する相補的停止表面と協働し、これらの起伏及び逆向きの起伏はまた、締結位置における係留嵌合を保証するように考案される。伸張ストランドは、バックルをケースのハウジング内に配置する前、又は腕時計をユーザが取り外した時の、その最大伸展位置で示されている。
【図２】図２は、本発明による腕時計の概略斜視図である。この腕時計は本発明による腕時計バンドを備える。この腕時計バンドは、腕時計ケースの両側に分割された弾性伸張ストランドを備え、またバックルを含む。このバックルは腕時計ケースの片側において、上記バックルが固定される貫通スロット内に直接係合し、ここでは腕時計が装着される締結位置で示されている。
【図３】図３は、図２と同一の腕時計を、ケースのもう一方の側から見て図２と同様の様式で示し、腕時計ケースと一体の、側部弾性ストランドのためのガイドバーが示されている。
【図４】図４は、特に取り外し中の取り扱いを便利にするために、バックルが把持用タブを備えるシースを含む変形例を、図２と同様の様式で示す。
【図５】図５は、図４と同一の変形例を、図３と同様の様式で示す。
【図６】図６は、図４、５と同一の腕時計の別の図である。
【図７】図７は、別の変形例を図２と同様の様式で示し、ここではバックルはクランプを含み、このクランプは、まとめて把持用タブを形成する複数のフィンガを備える。
【図８】図８は、本発明による腕時計バンドの概略正面図である。この腕時計バンドは、２つの剛性部品の間に中間伸張ストランドを備え、上記剛性部品のうちの１つは、対向する部品が備えるバックルに締結される突出要素を備える。
【図９】図９は、図８と同一の腕時計バンドの概略上面図である。
【図１０】図１０は、図８、９の腕時計バンドの変形例の概略正面図である。この腕時計バンドには、腕時計ケースの片側がヒンジ留めされており、この腕時計ケースはもう一方の側に、バックルを形成する腕時計バンドの一部のためのガイドとして使用される、ヒンジ付きリンクを備える。ここでは伸張ストランドは腕時計ケースの上側を通過する。
【図１１】図１１は、本発明による腕時計の概略正面図である。この腕時計は伸張端部ストランドを備え、そのバックルは、背面テーパを有する腕時計ケースの前面にロックされた追加のバックルの溝に収容される。側部ストランドは、腕時計ケースの側部において、腕時計ケースの側部が備える長手方向溝内に保持される。
【図１２】図１２は、図１１と同一の腕時計の概略上面図である。
【図１３】図１３は、図２の変形例による腕時計の概略正面図である。図１１、１２の変形例と同様に、腕時計バンドの一方の端部は腕時計ケースに固定され、これは腕時計ケースの下面上にループを形成する。腕時計バンドの折り目は上記ループの一方の端部において固定され、これにより、腕時計バンドを延ばす際に伸張ストランドの牽引力に対抗できる。
【図１４】図１４は、図１３の腕時計の概略上面図である。
【図１５】図１５は、追加のバックルと共にバックルを形成する伸張端部ストランドを有する、本発明の特定の変形例の展開斜視図である。上記追加のバックルは、腕時計ケースにヒンジ留めされるインサートと協働する。腕時計バンドはもう一方の端部に、伸長ストランドを固定するためのバーを備え、このバーは、これもまた腕時計ケースにヒンジ留めされたガイド部材によってガイドされる。
【図１６】図１６は、図１５の変形例の、組み立てた状態の斜視図であり、バックルは腕時計ケース上の停止位置にある。
【図１７】図１７は、図１５の変形例の、図１６と同一の位置における正面図である。
【図１８】図１８は、図１７を右から見た図である。
【図１９】図１９は、図１５の変形例の上面図である。
【図２０】図２０は、図１８の平面ＡＡに沿った断面図である。
【発明を実施するための形態】
【００１５】
本発明は、腕時計バンドが備えるバックルを、腕時計バンドが備える突出要素又は腕時計バンドが支持する要素（腕時計ケース等）の上側に配置でき、またユーザが組立体をユーザの手首に装着しているときにこの組立体を確実に保持するための牽引力を印加できるように、腕時計バンドを構成することからなる。
【００１６】
より具体的には、本発明は好ましい応用例において、腕時計バンドが備えるバックルを、腕時計ケースの頂部に配置して、突出要素に、特にケースの片側に当接させることができ、またユーザが組立体をユーザの手首に装着しているときにこの組立体を確実に保持するための牽引力を印加できるように、腕時計バンドを構成することからなる。
【００１７】
この目的のために、この腕時計バンドは少なくとも１つの伸長ストランドと、バックルとを含み、このバックルは様々な変形例において、伸長ストランド等の変形可能な要素、又は剛性バー若しくは同様の要素等の変形不可能な要素であってよく、これは伸長ストランドによって、又は腕時計バンドの非伸長部分によって支持されてよい。
【００１８】
当然のことながら、腕時計ケースに対するバックルの当接と、腕時計バンドの突出要素に対する当接とを組み合わせて、牽引力を調整できるようにすることができる。同様に、所望の牽引力を提供する突出要素をユーザが選択できるように、複数の別個の突出要素を設けることができる。また、バックルを腕時計ケース上に受承するための、複数の可能な表面を画定することもできる。また、ケースの同一の表面と、又は腕時計ケースの同一の突出要素と当接して係合できる、複数の当接表面を備えるバックルを使用できることにも留意されたい。
【００１９】
これより本発明を、バックルの単一の当節表面が、場合に応じて腕時計ケースの又は腕時計バンドの単一の表面と協働する、簡略化された実施形態において説明する。腕時計バンド単体に関して、そして腕時計バンドを備える腕時計に関して、本発明を連続して説明する。当然のことながら、ある応用例の特徴は他の応用例に移植できる。
【００２０】
本発明はまた、第１の端部３１と第２の端部３２との間に少なくとも１つの伸長ストランド４を備える、腕時計バンド３にも関する。
【００２１】
図示した変形例では、腕時計バンド３は少なくとも１つの他のストランドを含み、上記他のストランドは、上記少なくとも１つの伸長ストランド４と比べて僅かしか伸長できない。従ってストランド４は、他のいずれの上記腕時計バンドストランド３よりも大きく伸長可能である。
【００２２】
いくつかの変形例では、少なくとも１つの上記他のストランドは伸長不可能であり、即ちこの他のストランドは、ユーザが付与する牽引力の作用下において（リンク間の、又は織布製の腕時計バンドの場合には織組織間の通常の膨張及び遊びを除いて）不可変長である。しかしながらこの他のストランドは可撓性であってよく、また従来の様式で皮革、プラスチック材料、金属等で作製してよい。
【００２３】
腕時計バンド３は、第１の端部３１と対向する第２の端部３２において、少なくとも１つの停止表面５０を備えるバックル５を備え、上記停止表面５０は、締結位置において、腕時計バンド３の第１の端部３１に組み付けられたケース２の少なくとも１つの第１の相補的停止表面２０、又は腕時計バンド３が第１の端部３１の近傍に備える第２の相補的停止表面３０と協働するよう構成される。このバックル５は、バックル５が剛性である場合には凹部５１を含み、又はバックル５が可撓性である場合には凹部５１を形成し、この凹部５１は、腕時計バンド３が備える突出部分を取り囲むように構成され、またこの凹部５１は第２の相補的停止表面３０を形成する。
【００２４】
バックル５は様々な形状を取ってよく、例えばＬ字型、Ｕ字型又はＯ字型の単純なフックの形状を取ってよい。重要なポイントは、動作位置において停止表面５０が確実に保持されることである。
【００２５】
好ましくは、伸長ストランド４は、ユーザの手首の、所定の最小直径ＤＭＩＮと所定の最大直径ＤＭＡＸとの間のいずれの直径に関して、バックル５に対して２Ｎ超の牽引力を提供できるようサイズ設定される。
【００２６】
ある変形例では、第２の相補的停止表面３０は、バックル５の停止表面５０が備える第２のラグ５３及び／又は第２のハウジング５４と相補的な様式で協働するよう構成された、少なくとも１つの第１のハウジング２３及び／又は第１のラグ２４を含む。
【００２７】
ある変形例では、少なくとも１つの停止表面５０は、締結位置において、少なくとも１つの第２の相補的停止表面３０と係留嵌合して協働するよう構成される。
【００２８】
ある変形例では、バックル５は、上記腕時計バンド３を取り外すために伸長させる際のバックル５の引き抜きを容易にするよう構成された、把持手段５２を備える。
【００２９】
ある変形例では、バックル５は、相補的停止表面に対するバックル５の締結を改善するよう、及び／又は腕時計バンド３を取り外すために伸長させる際のバックル５の引き抜きを容易にするよう構成されたクランプを形成する、弾性作動手段５３を備える。
【００３０】
ある変形例では、腕時計バンド３は、第２の相補的停止表面３０を支持する少なくとも１つのヒンジ付きリンクを含む。
【００３１】
ある変形例では、少なくとも１つの伸長ストランド４は、断面が略円形の少なくとも１つの弾性ストラップを含み、これは腕時計バンド３の第２の端部３２において２つのストランド４１、４２を形成し、上記２つのストランド４１、４２は略平行に伸長するよう構成され、腕時計バンド３の遠位端において接合してバックル５を形成する。
【００３２】
ある変形例では、伸長端部ストランド４は、第２の端部３２全体を形成し、バックル５を実質的に形成する。
【００３３】
別の変形例では、第２の端部３２は剛性であり、バックル５及びバックル５の凹部５１を備える。
【００３４】
別の変形例では、伸長ストランド４は腕時計バンド３全体を形成してよいが、この変形例は、迅速な締結に関して実用性が比較的低いことが分かっている。
【００３５】
伸長ストランド４は、様々な方法で作製してよい。図示されている好ましい変形例では、伸長ストランド４は弾性であり、ゴム等の弾性材料で作製でき、又はばね若しくはプリーツの形態若しくは別の形態で作製できる。
【００３６】
図示されていない別の変形例では、伸長ストランド４は、互いに対して摺動する要素の組み合わせの形態であり、これらは摩擦等によって互いに対して保持され、これらの要素は、必要な牽引力を印加するよう構成されたばね等の弾性復元手段、又は好ましくは回転時に対応する力を印加するカム機構と組み合わされる。
【００３７】
より具体的には、本発明は、少なくとも１つの伸長ストランド４を備える１つの上述のような腕時計バンド３を、ケース２に固定された状態で備える、腕時計１に関する。
【００３８】
本発明によると、この腕時計バンド３は、ケース２を、少なくともケース２の第１の側部２１において取り囲むように構成された、バックル５を備える。このバックル５は、伸長ストランド４によって、又は伸長ストランド４に固定された追加のバックル５９によって、又は腕時計バンド３の別の部分に固定されたバックル５９によって形成される。
【００３９】
このバックル５は停止表面５０を備え、この停止表面５０は少なくとも１つの締結位置において、ケース２の第１の側部２１の少なくとも１つの第１の相補的停止表面２０と、又は腕時計バンド３が備える第２の相補的停止表面３０と協働するよう構成される。
【００４０】
好ましくは、停止表面５０及び場合に応じて相補的停止表面２０又は３０は、横断方向であってよく、即ち腕時計バンド３が平坦な状態であるときに伸長する長手方向に対して略垂直であってよい。当然のことながら、バックル５は、ケース２の複数の表面と、又は腕時計バンド３が備える突起と協働してよい。
【００４１】
好ましくは伸長ストランド４は、ユーザの手首の、最小直径と最大直径との間のいずれの直径に関して、バックル５に対して２Ｎ超の牽引力を提供できるようサイズ設定される。
【００４２】
好ましくは、腕時計バンド３は第１の端部３１においてケース２に固定され、ケース２の第１の側部２１から伸長する。図面において、第１の端部３１はケース２の下側の、ケースとユーザの手首との間に締結される。
【００４３】
バックル５は、上記第１の端部３１に対向する第２の端部３２に位置する。バックル５は、バックル５が剛性である場合には凹部５１を含み、又はバックル５が可撓性である場合には凹部５１を形成し、この凹部５１は、少なくともこの第１の側部２１上でケース２を取り囲むよう構成される。
【００４４】
バックル５がケース２に固定される代替例では、ケース２が備える第１の相補的停止表面２０は、ケース２の第１の側部２１上にある。バックル５が腕時計バンド３に固定される代替例では、第２の相補的停止表面３０は腕時計バンド３の第１の端部３１の近傍にある。
【００４５】
好ましくは、第１の側部２１において、ケース２は、第１の相補的停止表面２０の少なくとも一部分を形成する背面テーパを有する表面２９を備える。この表面２９は、バックル５がその締結位置において占有するハウジングから不注意に出てしまうのを防止することを意図した、上側縁部を画定する。
【００４６】
特に図１に見られるような具体的な変形例では、ケース２は上記第１の側部２１上において、第１の相補的停止表面２０に、バックル５の停止表面５０が備える第２のラグ５３及び／又は第２のハウジング５４と相補的な様式で協働するよう構成された、少なくとも１つの第１のハウジング２３及び／又は第１のラグ２４を備える。
【００４７】
特定の変形例では、少なくとも１つの停止表面５０は、締結位置において、少なくとも１つの第１の相補的停止表面２０と係留嵌合して協働するよう構成される。
【００４８】
特定の変形例では、ケース２は、第１の側部２１と対向する第２の側部２２において、ガイド手段６を備え、このガイド手段６は、バックル５がいずれの位置にある場合でもケース２及び腕時計バンド３が略円環状の閉鎖容積を形成するように、腕時計バンド３の第２の端部３２又は少なくとも１つの伸長ストランド４をガイドするよう構成される。このようにしてユーザはこのトーラス形状に手を極めて容易に滑り込ませ、続いて伸長ストランド４を伸長させて、ケース２又は突出部材３０にバックル５を締結させることができる。
【００４９】
有利には、腕時計１はガイド手段６上に、バックル５のための停止手段７を備える。
【００５０】
ある変形例では、少なくとも１つの伸長ストランド４はガイド手段６内で摺動する。腕時計バンド３は有利には、ガイド手段６のための移動範囲終端停止部を形成するよう構成された停止表面３３を備える。
【００５１】
ある変形例では、バックル５は、腕時計バンド３を取り外すために伸長させる際のバックル５の引き抜きを容易にするよう構成された、把持手段５２を含む。
【００５２】
特定の変形例では、バックル５は、上記ケース２に対するバックル５の締結を改善するよう、及び／又は腕時計バンド３を取り外すために伸長させる際のバックル５の引き抜きを容易にするよう構成されたクランプを形成する、弾性作動手段５３を含む。例えばバックル５は、スロットの各側にフィンガを備える弾性分割リングを含む。
【００５３】
溝等のハウジング内でのバックル５の保持を改善するために、バックルは、ゴムシース等の弾性表面コーティングを備えてよく、又は略軸対称の係留の形態でバックルを強制的に溝内に保持するための、断面が小さい螺旋ばね若しくは分割リング等を備えてよい。
【００５４】
腕時計バンド３は単一部品として作製してよく、又は１つ若しくは複数のヒンジ付きリンクを備えてよい。ある変形例では、腕時計バンド３は、第２の相補的停止表面３０を例えば突起上で支持する少なくとも１つのヒンジ付きリンクを含む。
【００５５】
同様にある変形例では、ケース２は、第２の側部２２上にヒンジ留めされたリンク上にガイド手段６を備える。
【００５６】
実際のところ、ケース２は、単一部品組立体を形成してよく、又は１つ若しくは２つの側部リンクにヒンジ留めされてよく、又はピンの機能を有するアーバによって所定の位置に単に固定された、極めて容易に組み付け及び分解が可能な上述のような側部リンクを備えてよい。
【００５７】
図面において見られる特定の変形例では、少なくとも１つの伸長ストランド４は、断面が略円形の少なくとも１つの弾性ストラップを含み、これは腕時計バンド３の第２の端部３２においてＵ字型バックルを形成し、Ｕ字型バックルの側方の分岐は、ケース２の周り又はケース２上において略平行に伸長するよう構成され、またＵ字型バックルは横断方向の分岐を有し、これはバックル５の凹部５１の範囲を画定し、かつケース２に当接して係合するよう構成される。
【００５８】
有利には、ケース２は、伸長ストランド４及び／又はバックル５を受承するための、少なくとも１つの長手方向ガイド部材２８を含む。図面は、伸長ストランド４の２つの対称な部分を受承するための平行な溝を図示している。このガイド部材はまた、締結位置におけるバックル５の横断方向の保持を改善する。
【００５９】
ある変形例では、バックル５はケース２を完全に取り囲む。
【００６０】
図１５〜２０は、バックル５の保持に優れているため特に有利である、本発明のある変形例を図示している。伸長端部ストランド４は、追加のバックル５９と共にバックル５を形成し、追加のバックル５９もまた、締結及び取り外しを容易にするための把持手段５２を形成する。
【００６１】
ケース２は、腕時計バンド３の第１の端部３１の側にインサート２６を含み、このインサート２６は、インサート２６の穿孔２６７を通るアーバ２７によって固定及び／又はヒンジ留めされ、またこのインサート２６は、追加のバックル５９の停止表面５０と相補的な様式で協働するよう構成された第１の相補的停止表面２０を有する。図２０の断面図は、上述のようにインサート２６に挿入されたこの追加のバックルを示し、これは、強い加速下であってもバックル５を完璧に保持する、Ｖ字型ハウジングを形成する。
【００６２】
ケース２は、腕時計バンド３の第２の端部３２の側にガイド６を備え、このガイド６は、伸長ストランド４０を形成する２つのストランド４１、４２をガイドするための穿孔６０を含む。ガイド６もまた、ガイド６の穿孔６７を通るアーバ２７によって固定及び／又はヒンジ留めされる。腕時計バンド３は、伸長ストランド４の端部が固定されるハウジング３８を有するバー３９を備える。
【００６３】
図示されていない変形例では、同一のバックル５は、ユーザに複数の可能な調整を提供するために、ケース２及び／又は腕時計バンド３が備える複数の異なる停止表面と協働してよい。
【００６４】
本発明による腕時計は、プロフェッショナルな又はスポーツにおける使用に特に好適である。実際のところ、負傷の原因になり得る部品が存在せず、腕時計バンドはいずれの展開式バックル又は舌状部を有しない。
【００６５】
図１７又は２０に見られるように、有利な構成において、腕時計バンド３は、腕時計ケースの下側で伸長するストランドを含み、これはユーザの手首と接触するよう配設される。好ましくはこれは、これまでに「他のストランド」と呼ばれているストランドであるが、これは伸長可能なストランドではない。このストランドは、ケースの下側に接着してよく、又はベルクロによってケースの下側に保持してよい。ベルクロはストランドの迅速な交換を可能とする。
【００６６】
ゴム等の衝撃吸収材を、腕時計バンドのストランドとケースの裏蓋との間に挿入してもよい。
【００６７】
好ましくは、ケース２が電子機器、特にクオーツ式ムーブメント及び／又は接続された腕時計を含む場合、腕時計バンドのストランドをケース２の裏蓋に固定するためのいずれの構成は、ケース２が含む各バッテリの挿入のための空間を備える。
【００６８】
実際のところ、スポーツのための有利な実施形態では、腕時計バンド３は複数の材料を含む。好ましくは、少なくとも１つのストランドは、皮膚の呼吸を可能とする通気性材料で作製され、この材料は有利には洗浄可能である。
【００６９】
特定の変形例では、腕時計バンドは周縁の略平行な縁取り部分を含み、これらはそれぞれ、腕時計バンドの周縁の少なくとも一部分上に、伸長端部ストランド４を形成する少なくとも１つの部分を有するコードを含む。
【００７０】
好ましくは、ユーザの手首に面する腕時計バンドの表面は全て平滑である。
【００７１】
ケースに対する腕時計バンドの固定における制約により有利である、ある変形例では、腕時計１は、ケース２に固定された非伸長性ストランドと、実質的に非伸長性ストランドの範囲内で更に伸長する伸長ストランド４とを有する、腕時計バンドを含む。
【００７２】
図１５〜２０は、本発明による腕時計１のための、本発明の好ましい構成を示し、これもまた略円環状の形状を有し、ユーザはこれを変形させて、腕時計バンドをスムーズに着脱する。実際のところ、バックル５はガイド６によって保持され、このガイド６は停止部材を形成し、腕時計のいずれの不注意な取り外しを防止する。中央のケース本体と１つ又は複数の側部部品とを固定するアーバ２７を備えるケース２の使用により、審美的理由から、又は特に腕時計バンドが少なくとも１つの織布部分を含む場合に腕時計バンドを洗浄するために、腕時計バンドを容易に交換できるようになる。これらのアーバ２７は特に、ばね又は分割リングであってよく、これらは取り外しが容易であり、動作位置における確実な保持を提供する。
【００７３】
有利には、ケース２は可撓性材料製のベゼルを含み、これは、特にラケット、ネット、クラブ、ボール等のスポーツ用品による衝撃に対する保護を提供する。ある変形例では、ケース２の表面部分は、その全体がこのような材料、例えばゴム等で作製される。
【００７４】
手首上での保持は、高い加速下であっても特に良好である。
【００７５】
このリストバンドは、幅広い範囲の装用者のサイズに適合し、これにより汎用性が得られる。このリストバンドは、特別な調整を行うことなく、嵩高いオーバーオール又はユニフォームの上で、作業目的に使用できる。従って、この腕時計バンドの幅広い伸長調整範囲は、工業用作業服、気密服、フライトスーツ、ウェットスーツ等に対して有利である。
【００７６】
本発明は手袋をはめたまま容易に操作でき、これは安全性を理由として必要となる場合がある。
【００７７】
製造コストは高くない。本発明により、使用又は審美的理由に応じてブレスレット又は腕時計バンドを容易に交換できる。
【符号の説明】
【００７８】
１    腕時計
２    ケース
３    腕時計バンド又はブレスレット
４    伸長ストランド
５    バックル
６    ガイド手段
７    停止手段
２０  第１の相補的停止表面
２１  第１の側部
２２  第２の側部
２３  第１のハウジング
２４  第１のラグ
２６  インサート
２８  長手方向ガイド部材
２９  表面
３０  第２の相補的停止表面
３１  第１の端部
３２  第２の端部
３３  停止表面
４１  ストランド
４２  ストランド
５０  停止表面
５１  凹部
５２  把持手段
５３  第２のラグ、弾性作動手段
５４  第２のハウジング
５９  追加のバックル
ＤＭＡＸ  最大直径
ＤＭＩＮ  最小直径
【図１】
0006263207.tif 000002
【図２】
0006263207.tif 000003
【図３】
0006263207.tif 000004
【図４】
0006263207.tif 000005
【図５】
0006263207.tif 000006
【図６】
0006263207.tif 000007
【図７】
0006263207.tif 000008
【図８】
0006263207.tif 000009
【図９】
0006263207.tif 000010
【図１０】
0006263207.tif 000011
【図１１】
0006263207.tif 000012
【図１２】
0006263207.tif 000013
【図１３】
0006263207.tif 000014
【図１４】
0006263207.tif 000015
【図１５】
0006263207.tif 000016
【図１６】
0006263207.tif 000017
【図１７】
0006263207.tif 000018
【図１８】
0006263207.tif 000019
【図１９】
0006263207.tif 000020
【図２０】
0006263207.tif 000021